【手続補正書】
【提出日】平成18年8月11日(2006.8.11)
【手続補正１】
【補正対象書類名】明細書
【補正対象項目名】特許請求の範囲
【補正方法】変更
【補正の内容】
【特許請求の範囲】
【請求項１】
円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、
前記マグネットの外周面と対向する部分の第１の外側磁極の周方向の長さ（占有領域）θが、円筒の中心軸まわりの角度で表現したとき、（３６０／ｎ）×１／３＜θ＜（３６０／ｎ）×９／１０度の範囲であり、
前記マグネットの外周面と対向する部分の第２の外側磁極の周方向の長さ（占有領域）θが、円筒の中心軸まわりの角度で表現したとき、（３６０／ｎ）×１／３＜θ＜（３６０／ｎ）×９／１０度の範囲であることを特徴とするモータ。
【請求項２】
円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、
前記第１の外側磁極と第２の外側磁極のマグネットの外周面と対向する部分の展開形状を、磁極の付け根部分から先端に近づくに従って、段階的に不連続で幅狭なものとしたことを特徴とするモータ。
【請求項３】
円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、
前記第１の外側磁極と第２の外側磁極のマグネットの外周面と対向する部分の展開形状を、磁極の付け根部分から先端に近づくに従って、外にふくらんだ曲線から構成し、次第に幅狭なものとしたことを特徴とするモータ。
【請求項４】
円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、
前記第１の外側磁極と第２の外側磁極のマグネットの外周面と対向する部分の展開形状を、磁極の付け根部分から先端に近づくに従って、内側にへこんだ曲線から構成し、次第に幅狭なものとしたことを特徴とするモータ。
【請求項５】
円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、
ｎが４以上で第１の外側磁極が複数あるとき、その複数の第１の外側磁極を、前記周方向の長さ（占有領域）θの大きいものと小さいものの複数種類から構成し、
ｎが４以上で第２の外側磁極が複数あるとき、その複数の第２の外側磁極を、前記周方向の長さ（占有領域）θの大きいものと小さいものの複数種類から構成することを特徴とするモータ。
【請求項６】
請求項１〜５のいずれか１つに記載のモータにおいて、前記マグネットは、その内周面が外周面に着磁された極と反対の極にさらに着磁されていることを特徴とするモータ。
【請求項７】
請求項６記載のモータにおいて、
前記マグネットの内周面と対向する部分の第１の内側磁極の周方向の長さ（占有領域）θが、円筒の中心軸まわりの角度で表現したとき、（３６０／ｎ）×１／３＜θ＜（３６０／ｎ）×９／１０度の範囲であり、
前記マグネットの内周面と対向する部分の第２の内側磁極の周方向の長さ（占有領域）θが、円筒の中心軸まわりの角度で表現したとき、（３６０／ｎ）×１／３＜θ＜（３６０／ｎ）×９／１０度の範囲であることを特徴とするモータ。
【請求項８】
前記第１の内側磁極と第２の内側磁極のマグネットの内周面と対向する部分の展開形状を、磁極の付け根部分から先端に近づくに従って、段階的に不連続で幅狭なものとしたことを特徴とする請求項６に記載のモータ。
【請求項９】
前記第１の内側磁極と第２の内側磁極のマグネットの内周面と対向する部分の展開形状を、磁極の付け根部分から先端に近づくに従って、外にふくらんだ曲線から構成し、次第に幅狭なものとしたことを特徴とする請求項６に記載のモータ。
【請求項１０】
前記第１の内側磁極と第２の内側磁極のマグネットの内周面と対向する部分の展開形状を、磁極の付け根部分から先端に近づくに従って、内側にへこんだ曲線から構成し、次第に幅狭なものとしたことを特徴とする請求項６に記載のモータ。
【請求項１１】
請求項６記載のモータにおいて、
ｎが４以上で第１の内側磁極が複数あるとき、その複数の第１の内側磁極を、前記周方向の長さ（占有領域）θの大きいものと小さいものの複数種類から構成し、
ｎが４以上で第２の内側磁極が複数あるとき、その複数の第２の内側磁極を、前記周方向の長さ（占有領域）θの大きいものと小さいものの複数種類から構成することを特徴とするモータ。
【請求項１２】
請求項１〜１１のいずれか１つに記載のモータにおいて、前記第１の外側磁極が第１のステータの外筒の先端に形成され、前記第１の内側磁極が第１のステータの内筒の先端に形成され、前記第２の外側磁極が第２のステータの外筒の先端に形成され、前記第２の内側磁極が第２のステータの内筒の先端に形成されていることを特徴とするモータ。
【請求項１３】
請求項１２記載のモータにおいて、前記第１のステータ及び前記第２のステータは、それぞれ、前記外筒及び前記内筒が一体に形成されていることを特徴とするモータ。
【請求項１４】
請求項１２記載のモータにおいて、前記第１のステータ及び前記第２のステータは、それぞれ、前記外筒及び前記内筒が別個に形成され、互いに対して固定されていることを特徴とするモータ。
【請求項１５】
請求項１〜１１のいずれか１つに記載のモータにおいて、前記第１の外側磁極と前記第２の外側磁極は１８０／ｎ度位相がずらされていることを特徴とするモータ。
【請求項１６】
請求項１〜１１のいずれか１つに記載のモータにおいて、前記マグネットは、前記第１の外側磁極に対向する外周面に着磁された磁極と前記第２の外側磁極に対向する外周面に着磁された磁極とが互いに１８０／ｎ度位相がずらされており、前記第１の外側磁極と前記第２の外側磁極が互いに対向していることを特徴とするモータ。
【手続補正２】
【補正対象書類名】明細書
【補正対象項目名】０００６
【補正方法】変更
【補正の内容】
【０００６】
【課題を解決するための手段】
上記目的を達成するために、本発明は、第１に、円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、前記マグネットの外周面と対向する部分の第１の外側磁極の周方向の長さ（占有領域）θが、円筒の中心軸まわりの角度で表現したとき、（３６０／ｎ）×１／３＜θ＜（３６０／ｎ）×９／１０度の範囲であり、前記マグネットの外周面と対向する部分の第２の外側磁極の周方向の長さ（占有領域）θが、円筒の中心軸まわりの角度で表現したとき、（３６０／ｎ）×１／３＜θ＜（３６０／ｎ）×９／１０度の範囲であることを特徴とする。
【手続補正３】
【補正対象書類名】明細書
【補正対象項目名】０００９
【補正方法】変更
【補正の内容】
【０００９】
本発明は、第２に、円筒形状に形成されるとともに少なくともその外周面を周方向にｎ分割して異なる極に交互に着磁されたマグネットを備え、該マグネットの軸方向に第１のコイルと前記マグネットと第２のコイルを順に配置し、前記第１のコイルにより励磁され第１の外側磁極及び第１の内側磁極とからなる第１のステータを前記マグネットの一端の外周面及び内周面に対向させるとともに、前記第２のコイルにより励磁され第２の外側磁極及び第２の内側磁極とからなる第２のステータを前記マグネットの他端の外周面及び内周面に対向させる構成のモータにおいて、
前記第１の外側磁極と第２の外側磁極のマグネットの外周面と対向する部分の展開形状を、磁極の付け根部分から先端に近づくに従って、段階的に不連続で幅狭なものとしたことを特徴とし、
または、前記第１の外側磁極と第２の外側磁極のマグネットの外周面と対向する部分の展開形状を、磁極の付け根部分から先端に近づくに従って、外にふくらんだ曲線から構成し、次第に幅狭なものとしたことを特徴とし、
または、前記第１の外側磁極と第２の外側磁極のマグネットの外周面と対向する部分の展開形状を、磁極の付け根部分から先端に近づくに従って、内側にへこんだ曲線から構成し、次第に幅狭なものとしたことを特徴とする。